【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
第１の被写体の動態を放射線撮影することにより得られた複数のフレーム画像を含む第１の動態画像のフレーム画像から前記第１の被写体の動作状態を表す第１の評価値を算出し、第２の被写体の動態を放射線撮影することにより得られた複数のフレーム画像を含む第２の動態画像のフレーム画像から前記第２の被写体の動作状態を表す第２の評価値を算出する算出手段と、
前記第１の動態画像から、前記第１の評価値が所定の値である第１のフレーム画像を抽出し、前記第２の動態画像から、前記第２の評価値が前記所定の値である第２のフレーム画像を抽出する抽出手段と、
前記第１のフレーム画像及び前記第２のフレーム画像を用いて、前記第１の動態画像及び前記第２の動態画像を解析処理する解析手段と、
を備える動態解析装置。
【請求項２】
前記第１の被写体と前記第２の被写体は同一被検者である請求項１に記載の動態解析装置。
【請求項３】
前記算出手段は、前記第１の動態画像の複数フレームの各々の前記第１の評価値を算出し、前記第２の動態画像の複数フレームの各々の前記第２の評価値を算出する、請求項１又は２に記載の動態解析装置。
【請求項４】
前記第１の評価値は、前記第１の動態画像の基準フレーム画像における所定構造物に対する前記第１の動態画像のフレーム画像における所定構造物の比率であり、前記第２の評価値は、前記第２の動態画像の基準フレーム画像における所定構造物に対する前記第２の動態画像のフレーム画像における所定構造物の比率である請求項１〜３のいずれか一項に記載の動態解析装置。
【請求項５】
前記動態画像は、胸部動態画像であり、
前記第１の評価値は、前記第１の動態画像の基準フレーム画像における肺野に対する前記第１の動態画像のフレーム画像における肺野の比率であり、前記第２の評価値は、前記第２の動態画像の基準フレーム画像における肺野に対する前記第２の動態画像のフレーム画像における肺野の比率である請求項４に記載の動態解析装置。
【請求項６】
前記動作状態は、前記被写体の呼吸状態である請求項５に記載の動態解析装置。
【請求項７】
前記動態画像は、胸部動態画像であり、
前記第１の評価値は、前記第１の動態画像の基準フレーム画像における心臓に対する前記第１の動態画像のフレーム画像における心臓の比率であり、前記第２の評価値は、前記第２の動態画像の基準フレーム画像における心臓に対する前記第２の動態画像のフレーム画像における心臓の比率である請求項４に記載の動態解析装置。
【請求項８】
前記動態画像は、胸部動態画像であり、
前記第１の評価値は、前記第１の動態画像の基準フレーム画像における肺血管に対する前記第１の動態画像のフレーム画像における肺血管の比率であり、前記第２の評価値は、前記第２の動態画像の基準フレーム画像における肺血管に対する前記第２の動態画像のフレーム画像における肺血管の比率である請求項４に記載の動態解析装置。
【請求項９】
前記動作状態は、前記被写体の脈拍状態である請求項７又は８に記載の動態解析装置。
【請求項１０】
前記第１の評価値と前記第２の評価値のそれぞれは、複数の構造物間の重なり度合いである請求項１〜３のいずれか一項に記載の動態解析装置。
【請求項１１】
前記動態画像は、胸部動態画像であり、
前記第１の評価値は、前記第１の動態画像のフレーム画像における横隔膜、所定の肺血管、又は所定の肺血管の分岐箇所のいずれかと、複数の肋骨のうち第Ｎ肋骨（１≦Ｎ≦１２）との重なり度合いを示し、前記第２の評価値は、前記第２の動態画像のフレーム画像における横隔膜、所定の肺血管、又は所定の肺血管の分岐箇所のいずれかと、複数の肋骨のうち第Ｎ肋骨（１≦Ｎ≦１２）との重なり度合いを示す請求項１０に記載の動態解析装置。
【請求項１２】
前記第２の動態画像は、前記第１の動態画像と同じ被検者を放射線撮影することにより得られた、前記第１の動態画像よりも過去の動態画像であり、
前記第１の動態画像と比較する対象として、前記第２の動態画像を選択する選択手段を備える請求項１に記載の動態解析装置。
【請求項１３】
第１の被写体の動態を放射線撮影することにより得られた複数のフレーム画像を含む第１の動態画像及び第２の被写体の動態を放射線撮影することにより得られた複数のフレーム画像を含む第２の動態画像を取得する取得手段と、
前記第１の動態画像のフレーム画像から前記第１の被写体の動作状態を表す第１の評価値を算出し、前記第２の動態画像のフレーム画像から前記第２の被写体の動作状態を表す第２の評価値を算出する算出手段と、
前記第１の動態画像から、前記第１の評価値が所定の値である第１のフレーム画像を抽出し、前記第２の動態画像から、前記第２の評価値が前記所定の値である第２のフレーム画像を抽出する抽出手段と、
前記第１のフレーム画像及び前記第２のフレーム画像を用いて、前記第１の動態画像及び前記第２の動態画像を解析処理する解析手段と、
を備える動態解析システム。
【請求項１４】
コンピューターに、
第１の被写体の動態を放射線撮影することにより得られた複数のフレーム画像を含む第１の動態画像のフレーム画像から前記第１の被写体の動作状態を表す第１の評価値を算出し、第２の被写体の動態を放射線撮影することにより得られた複数のフレーム画像を含む第２の動態画像のフレーム画像から前記第２の被写体の動作状態を表す第２の評価値を算出する処理と、
前記第１の動態画像から、前記第１の評価値が所定の値である第１のフレーム画像を抽出し、前記第２の動態画像から、前記第２の評価値が前記所定の値である第２のフレーム画像を抽出する処理と、
前記第１のフレーム画像及び前記第２のフレーム画像を用いて、前記第１の動態画像及び前記第２の動態画像を解析処理する処理と、
を実行させる動態解析プログラム。
【請求項１５】
第１の被写体の動態を放射線撮影することにより得られた複数のフレーム画像を含む第１の動態画像のフレーム画像から前記第１の被写体の動作状態を表す第１の評価値を算出し、第２の被写体の動態を放射線撮影することにより得られた複数のフレーム画像を含む第２の動態画像のフレーム画像から前記第２の被写体の動作状態を表す第２の評価値を算出する工程と、
前記第１の動態画像から、前記第１の評価値が所定の値である第１のフレーム画像を抽出し、前記第２の動態画像から、前記第２の評価値が前記所定の値である第２のフレーム画像を抽出する工程と、
前記第１のフレーム画像及び前記第２のフレーム画像を用いて、前記第１の動態画像及び前記第２の動態画像を解析処理する工程と、
を備える動態解析方法。
【手続補正２】
【補正対象書類名】明細書
【補正対象項目名】発明の名称
【補正方法】変更
【補正の内容】
【発明の名称】動態解析装置、動態解析システム、動態解析プログラム及び動態解析方法
【手続補正３】
【補正対象書類名】明細書
【補正対象項目名】０００１
【補正方法】変更
【補正の内容】
【０００１】
本発明は、動態解析装置、動態解析システム、動態解析プログラム及び動態解析方法に関する。
【手続補正４】
【補正対象書類名】明細書
【補正対象項目名】０００８
【補正方法】変更
【補正の内容】
【０００８】
上記課題を解決するため、本発明の動態解析装置は、
第１の被写体の動態を放射線撮影することにより得られた複数のフレーム画像を含む第１の動態画像のフレーム画像から前記第１の被写体の動作状態を表す第１の評価値を算出し、第２の被写体の動態を放射線撮影することにより得られた複数のフレーム画像を含む第２の動態画像のフレーム画像から前記第２の被写体の動作状態を表す第２の評価値を算出する算出手段と、
前記第１の動態画像から、前記第１の評価値が所定の値である第１のフレーム画像を抽出し、前記第２の動態画像から、前記第２の評価値が前記所定の値である第２のフレーム画像を抽出する抽出手段と、
前記第１のフレーム画像及び前記第２のフレーム画像を用いて、前記第１の動態画像及び前記第２の動態画像を解析処理する解析手段と、
を備える。
【手続補正５】
【補正対象書類名】明細書
【補正対象項目名】０００９
【補正方法】変更
【補正の内容】
【０００９】
また、本発明の動態解析システムは、
第１の被写体の動態を放射線撮影することにより得られた複数のフレーム画像を含む第１の動態画像及び第２の被写体の動態を放射線撮影することにより得られた複数のフレーム画像を含む第２の動態画像を取得する取得手段と、
前記第１の動態画像のフレーム画像から前記第１の被写体の動作状態を表す第１の評価値を算出し、前記第２の動態画像のフレーム画像から前記第２の被写体の動作状態を表す第２の評価値を算出する算出手段と、
前記第１の動態画像から、前記第１の評価値が所定の値である第１のフレーム画像を抽出し、前記第２の動態画像から、前記第２の評価値が前記所定の値である第２のフレーム画像を抽出する抽出手段と、
前記第１のフレーム画像及び前記第２のフレーム画像を用いて、前記第１の動態画像及び前記第２の動態画像を解析処理する解析手段と、
を備える。
【手続補正６】
【補正対象書類名】明細書
【補正対象項目名】００１０
【補正方法】変更
【補正の内容】
【００１０】
また、本発明の動態解析プログラムは、
コンピューターに、
第１の被写体の動態を放射線撮影することにより得られた複数のフレーム画像を含む第１の動態画像のフレーム画像から前記第１の被写体の動作状態を表す第１の評価値を算出し、第２の被写体の動態を放射線撮影することにより得られた複数のフレーム画像を含む第２の動態画像のフレーム画像から前記第２の被写体の動作状態を表す第２の評価値を算出する処理と、
前記第１の動態画像から、前記第１の評価値が所定の値である第１のフレーム画像を抽出し、前記第２の動態画像から、前記第２の評価値が前記所定の値である第２のフレーム画像を抽出する処理と、
前記第１のフレーム画像及び前記第２のフレーム画像を用いて、前記第１の動態画像及び前記第２の動態画像を解析処理する処理と、
を実行させる。
【手続補正７】
【補正対象書類名】明細書
【補正対象項目名】００１１
【補正方法】変更
【補正の内容】
【００１１】
また、本発明の動態解析方法は、
第１の被写体の動態を放射線撮影することにより得られた複数のフレーム画像を含む第１の動態画像のフレーム画像から前記第１の被写体の動作状態を表す第１の評価値を算出し、第２の被写体の動態を放射線撮影することにより得られた複数のフレーム画像を含む第２の動態画像のフレーム画像から前記第２の被写体の動作状態を表す第２の評価値を算出する工程と、
前記第１の動態画像から、前記第１の評価値が所定の値である第１のフレーム画像を抽出し、前記第２の動態画像から、前記第２の評価値が前記所定の値である第２のフレーム画像を抽出する工程と、
前記第１のフレーム画像及び前記第２のフレーム画像を用いて、前記第１の動態画像及び前記第２の動態画像を解析処理する工程と、
を備える。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】